(57)【要約】  頭皮上に配置された少数のセンサから取得される信号を用いた簡便な方法により、認知症などの疾病に伴う脳の機能低下を高精度で定量的に評価する。  本発明は、被験者の頭部表面の３つの異なる場所に取り付けられるセンサを用いて脳からの信号を取得する信号取得手段と、それぞれのセンサにおいて取得された信号から脳深部の活動に起因する特定の周波数帯の信号を抽出し、抽出された信号からサンプリング周期でデータを抽出するデータ抽出手段と、それぞれのセンサごとにデータ抽出手段により抽出された３つの時系列データの位相関係に基づいて、それぞれのセンサにおいて取得された信号の相関関係を示す相関値を算出する相関値算出手段と、算出された相関値に基づいて、脳深部からの信号を解析して脳機能を判断するための指標値を算出する指標値算出手段と、を備える脳活動測定装置である。
2016013596.tif 000002
【特許請求の範囲】
【請求項１】
被験者の頭部表面の３つの異なる場所に取り付けられるセンサを用いて脳からの信号を取得する信号取得手段であって、当該センサの少なくとも１つは後頭部に取り付けられる、信号取得手段と、
それぞれのセンサにおいて取得された信号から脳深部の活動に起因する特定の周波数帯の信号を抽出し、抽出された信号からサンプリング周期でデータを抽出するデータ抽出手段と、
それぞれのセンサごとに前記データ抽出手段により抽出された３つの時系列データの位相関係に基づいて、それぞれのセンサにおいて取得された信号の相関関係を示す相関値を算出する相関値算出手段と、
算出された相関値に基づいて、脳深部からの信号を解析して脳機能を判断するための指標値を算出する指標値算出手段と、
を備える脳活動測定装置。
【請求項２】
前記相関値算出手段は、
それぞれのセンサＡ、Ｂ及びＣごとに抽出された時系列データをＶＡ（ｔ）、ＶＢ（ｔ）及びＶＣ（ｔ）とした場合、所定時間内に抽出されたデータＶＡ（ｔ）それぞれに対して、前記サンプリング周期の所定値以下の整数倍に等しい時間である任意の時間τ１及びτ２だけ異なる時間に抽出されたデータＶＢ（ｔ−τ１）及びＶＣ（ｔ−τ２）を掛け合わせて得られたそれぞれの値を加算した値に基づいて相関値を算出するものであって、前記時間τ１及びτ２の取りうる組み合わせのそれぞれについて相関値を算出する、請求項１に記載の脳活動測定装置。
【請求項３】
前記相関値算出手段は、
前記所定時間内に抽出されたデータＶＡ（ｔ）それぞれと、前記時間τ１及びτ２だけ異なる時間に抽出されたデータＶＢ（ｔ−τ１）及びＶＣ（ｔ−τ２）とが同符号である場合にのみこれらを掛け合わせて、得られたそれぞれの値を加算した値に基づいて相関値を算出し、及び、
前記所定時間内の時刻Ｔにおける、ＶＡ（Ｔ）、ＶＢ（Ｔ−τ１）及びＶＣ（Ｔ−τ２）が同符号になる場合のτ１及びτ２の組み合わせのみ相関値を算出する、請求項２に記載の脳活動測定装置。
【請求項４】
前記脳活動測定装置は、
前記時間τ１、τ２及び前記相関値を軸とする３次元座標において、前記時間τ１及びτ２の組み合わせに対応する相関値を表示した３次元マップの表示手段を備える、請求項３に記載の脳活動測定装置。
【請求項５】
前記指標値算出手段は、
前記時間τ１及びτ２を軸とする座標における相関値が算出された領域の間の距離の前記τ１軸方向及び前記τ２軸方向それぞれの標準偏差に基づいて指標値を算出する、請求項３に記載の脳活動測定装置。
【請求項６】
前記指標値算出手段は、
同じ時間幅を有する複数の前記所定時間内に抽出されたデータＶＡ（ｔ）に対して算出されたすべての相関値を前記所定時間ごとに加算し、前記所定時間ごとの加算された相関値の標準偏差に基づいて指標値を算出する、請求項３に記載の脳活動測定装置。
【請求項７】
前記指標値算出手段は、
前記時間τ１及びτ２を軸とする座標における相関値が算出された領域の間の距離の前記τ１軸方向及び前記τ２軸方向それぞれの標準偏差に基づいて算出された指標値、及び同じ時間幅を有する複数の前記所定時間内に抽出されたデータＶＡ（ｔ）に対して算出されたすべての相関値を前記所定時間ごとに加算し、前記所定時間ごとの加算された相関値の標準偏差に基づいて算出された指標値に、それぞれ所定の係数で重み付け加算することにより指標値を算出する、請求項３に記載の脳活動測定装置。
【請求項８】
前記センサはすべて後頭部に取り付けられる、請求項１から７のいずれか１項に記載の脳活動測定装置。
【請求項９】
前記脳活動測定装置は、２つ以上の前記信号取得手段を備える、請求項１から８のいずれか１項に記載の脳活動測定装置。
【請求項１０】
被験者の頭部表面の３つの異なる場所に取り付けられるセンサを用いて脳深部からの信号を解析するためのプログラムであって、当該センサの少なくとも１つは後頭部に取り付けられるものであり、当該プログラムは、コンピュータに、
それぞれのセンサにおいて取得された信号からサンプリング周期でデータを抽出するステップと、
それぞれのセンサごとに抽出された３つの時系列データの位相関係に基づいて、それぞれのセンサにおいて取得された信号の相関関係を示す相関値を算出するステップと、
算出された相関値に基づいて、脳深部からの信号を解析して脳機能を判断するための指標値を算出するステップと、
を実行させるプログラム。
【請求項１１】
被験者の頭部表面の３つの異なる場所に取り付けられるセンサを用いて脳深部からの信号を解析するための方法であって、当該センサの少なくとも１つは後頭部に取り付けられるものであり、当該方法は、
それぞれのセンサにおいて取得された信号から脳深部の活動に起因する特定の周波数帯の信号を抽出し、抽出された信号からサンプリング周期でデータを抽出するステップと、
それぞれのセンサごとに抽出された３つの時系列データの位相関係に基づいて、それぞれのセンサにおいて取得された信号の相関関係を示す相関値を算出するステップと、
算出された相関値に基づいて、脳深部からの信号を解析して脳機能を判断するための指標値を算出するステップと、
を含む方法。
【発明の詳細な説明】
【技術分野】
【０００１】
本発明は、被験者の頭部表面の３つの異なる場所に取り付けられる複数のセンサを用いて脳深部からの信号を解析することで、アルツハイマー病に代表される認知症等の疾患による脳機能の低下を定量的に評価する装置、プログラム及び方法に関する。
【背景技術】
【０００２】
社会の高齢化の進行に伴い、我が国では４００万人を超える認知症患者は、社会全体の大きな経済的、心理的負担となってきている。現段階では、認知症を完治させる治療法はないものの、早期の段階で認知症を発見できれば、薬理学的方法および適切なケアによってその進行を遅らせることは可能であり、医療費の大幅な削減に寄与するものである。【０００３】
従来、深部脳内活動を推定する方法としては、ＰＥＴ法、ｆＭＲＩ法、ＭＥＧ法などが用いられてきたが、実用上の問題点があることや大がかりな装置が必要であるという問題があった。このような中、頭皮上から観測される脳電位（頭皮上電位）を観測する脳波（ＥＥＧ）は大がかりな装置を必要としないため、広く臨床現場で使用されてきた。臨床現場では頭皮上の電位分布を多数の電極によって観測するという立場から、標準的な臨床検査で用いられる国際１０-２０法では、１９個の電極を用いて観測される電位を、ペンレコーダあるいはコンピュータ内のメモリに記録することが行われてきた。【０００４】
具体的な方法としては、頭皮上で観測される脳電位を、脳内部に仮定した等価ダイポール電源によって生成されるものと仮定し、頭皮上の脳電位分布から、等価ダイポール電源の位置、方向、電流値を逆推定する「ダイポール推定法」によって等価表現する方式が開発された（非特許文献１）。ここではα波の成因の一端を担う視床や情動発現の中枢である視床下部はいずれも脳の中心に近い脳幹部にあり、これらの活動を評価する場合には脳深部に等価ダイポール電源を仮定する方法が有効とされてきた。なお脳深部とは、脳幹部及びその周辺の大脳辺緑系を示す部位を示す。【０００５】
さらには、この頭皮上電位が、逆推定されたダイポール電源によってどれほど良い精度で表現可能かということをダイポラリティ（Ｄα；ｄｉｐｏｌａｒｉｔｙ）という指標で表現する方式（ＤＩＭＥＮＳＩＯＮ方式）が開発された。この指標は、ダイポール電位活動を定量的に解析し脳深部の活動を推定するためのものであり、認知症の程度によって大きく変化することから、認知症の検出手段として用いられてきた（非特許文献２、３)。【０００６】
なお上記とは別のアプローチとして、ニューロン活動異常部位の３次元識別化を目的とした脳活動測定装置も開発されてきた（特許文献１）。
【先行技術文献】
【特許文献】
【０００７】
【特許文献１】日本国特許第５１１８２３０号
【０００８】
【非特許文献１】Bin He, Toshimitsu Musha, Yoshiwo Okamoto, Saburo Homma, Yoshio Nakajima and Toshio Sato, "Electric Dipole Tracing in the Brain by Means of the Boundary Element Method and Its Accuracy," IEEE Trans. Biomed. Engnr. vol. BME-34, n0.6,  1987, 406-414.
【非特許文献２】J. Hara, T. Musha and W. R. Shankle, Approximating dipoles from human EEG activity: the effect of dipole source configuration on dipolarity using single dipole models, IEEE Trans. Biomed. Eng., 46, 2, 125-129, 1999.
【非特許文献３】J. Hara, W. R. Shankle and T. Musha, Cortical Atrophy in Alzheimer's Disease Unmasks Electrically Silent Sulci and Lowers EEG Dipolarity, IEEE Trans. Biomed. Eng., vol.46, no.8, 905-910, 1999.
【発明の概要】
【発明が解決しようとする課題】
【０００９】
しかしながら、以上のアプローチはいずれも頭皮上に多数の電極（通常１９電極あるいはそれ以上）を必要とするものであり、被験者への大きい負担となっていた。またダイポール電位活動を定量的に解析し脳深部の活動を推定するためには、頭皮上の多数の電極に表れる電位からα成分を選り分け、そのα波成分から得られる等価ダイポール電位の観測されたα波電位に対する近似度と、その近似度の時間的な変動を表す標準偏差値とを計算する必要があるため多大な計算量を必要とするという問題があった。このような計算にあたっては５分程度の脳波データが必要であることから比較的長い測定時間を要するため、このことも被験者への大きい負担となっていた。さらにα波成分が微弱な被験者に対しては計算信頼度が著しく低下するという問題があった。【００１０】
したがって本発明は、脳深部の活動を評価するにあたって計算量を低減した演算方法を確立することで、頭皮上に配置された少数のセンサ（電極）から取得される信号を用いた被験者への負担を軽減する簡便な方法を実現しつつ、認知症などの疾病に伴う脳の機能低下を高精度で定量的に評価することを目的とする。
【課題を解決するための手段】
【００１１】
上記の課題は以下の特徴を有する本発明によって解決される。すなわち、本発明の一態様としての脳活動測定装置は、被験者の頭部表面の３つの異なる場所に取り付けられるセンサを用いて脳からの信号を取得する信号取得手段であって、当該センサの少なくとも１つは後頭部に取り付けられる、信号取得手段と、それぞれのセンサにおいて取得された信号から脳深部の活動に起因する特定の周波数帯の信号を抽出し、抽出された信号からサンプリング周期でデータを抽出するデータ抽出手段と、それぞれのセンサごとに上記データ抽出手段により抽出された３つの時系列データの位相関係に基づいて、それぞれのセンサにおいて取得された信号の相関関係を示す相関値を算出する相関値算出手段と、算出された相関値に基づいて、脳深部からの信号を解析して脳機能を判断するための指標値を算出する指標値算出手段と、を備える脳活動測定装置である。【００１２】
本発明の一態様としての脳活動測定装置の相関値算出手段は、それぞれのセンサＡ、Ｂ及びＣごとに抽出された時系列データをＶＡ（ｔ）、ＶＢ（ｔ）及びＶＣ（ｔ）とした場合、所定時間内に抽出されたデータＶＡ（ｔ）それぞれに対して、上記サンプリング周期の所定値以下の整数倍に等しい時間である任意の時間τ１及びτ２だけ異なる時間に抽出されたデータＶＢ（ｔ−τ１）及びＶＣ（ｔ−τ２）を掛け合わせて得られたそれぞれの値を加算した値に基づいて相関値を算出するものであって、上記時間τ１及びτ２の取りうる組み合わせのそれぞれについて相関値を算出する。【００１３】
本発明の一態様としての脳活動測定装置の相関値算出手段は、上記所定時間内に抽出されたデータＶＡ（ｔ）それぞれと、前記時間τ１及びτ２だけ異なる時間に抽出されたデータＶＢ（ｔ−τ１）及びＶＣ（ｔ−τ２）とが同符号である場合にのみこれらを掛け合わせて、得られたそれぞれの値を加算した値に基づいて相関値を算出し、及び、上記所定時間内の時刻Ｔにおける、ＶＡ（Ｔ）、ＶＢ（Ｔ−τ１）及びＶＣ（Ｔ−τ２）が同符号になる場合のτ１及びτ２の組み合わせのみ相関値を算出する。【００１４】
本発明の一態様としての脳活動測定装置は、上記時間τ１、τ２及び上記相関値を軸とする３次元座標において、上記時間τ１及びτ２の組み合わせに対応する相関値を表示した３次元マップの表示手段を備える。【００１５】
本発明の一態様としての脳活動測定装置の指標値算出手段は、上記時間τ１及びτ２を軸とする座標における相関値が算出された領域の間の距離の前記τ１軸方向及び前記τ２軸方向それぞれの標準偏差に基づいて指標値を算出する。【００１６】
本発明の一態様としての脳活動測定装置の指標値算出手段は、同じ時間幅を有する複数の上記所定時間内に抽出されたデータＶＡ（ｔ）に対して算出されたすべての相関値を上記所定時間ごとに加算し、前記所定時間ごとの加算された相関値の標準偏差に基づいて指標値を算出する。【００１７】
本発明の一態様としての脳活動測定装置の指標値算出手段は、上記時間τ１及びτ２を軸とする座標における相関値が算出された領域の間の距離の前記τ１軸方向及び前記τ２軸方向それぞれの標準偏差に基づいて算出された指標値、及び同じ時間幅を有する複数の上記所定時間内に抽出されたデータＶＡ（ｔ）に対して算出されたすべての相関値を上記所定時間ごとに加算し、前記所定時間ごとの加算された相関値の標準偏差に基づいて算出された指標値に、それぞれ所定の係数で重み付け加算することにより指標値を算出する。【００１８】
本発明の一態様としての脳活動測定装置のセンサは、すべて後頭部に取り付けられる。【００１９】
本発明の一態様としての脳活動測定装置は、２つ以上の上記信号取得手段を備える。【００２０】
本発明の一態様としてのプログラムは、被験者の頭部表面の３つの異なる場所に取り付けられるセンサを用いて脳深部からの信号を解析するためのプログラムであって、当該センサの少なくとも１つは後頭部に取り付けられるものであり、当該プログラムは、コンピュータに、それぞれのセンサにおいて取得された信号からサンプリング周期でデータを抽出するステップと、それぞれのセンサごとに抽出された３つの時系列データの位相関係に基づいて、それぞれのセンサにおいて取得された信号の相関関係を示す相関値を算出するステップと、算出された相関値に基づいて、脳深部からの信号を解析して脳機能を判断するための指標値を算出するステップと、を実行させるプログラムである。【００２１】
本発明の一態様としての方法は、被験者の頭部表面の３つの異なる場所に取り付けられるセンサを用いて脳深部からの信号を解析するための方法であって、当該センサの少なくとも１つは後頭部に取り付けられるものであり、当該方法は、それぞれのセンサにおいて取得された信号から脳深部の活動に起因する特定の周波数帯の信号を抽出し、抽出された信号からサンプリング周期でデータを抽出するステップと、それぞれのセンサごとに抽出された３つの時系列データの位相関係に基づいて、それぞれのセンサにおいて取得された信号の相関関係を示す相関値を算出するステップと、算出された相関値に基づいて、脳深部からの信号を解析して脳機能を判断するための指標値を算出するステップと、を含む方法である。
【発明の効果】
【００２２】
本発明によれば、相関値や指標値を導入することにより計算量を低減した演算方法を確立することで、少数（３つ）のセンサ（電極）から取得される信号から、脳深部に仮定したダイポール電位活動が単純なものか又は複雑なものかを定量化し、認知症などの疾病に伴う脳の機能低下をより高い精度で評価することができる。また計算量を低減した演算方法を確立することにより、脳活動を解析するにあたって必要な脳波データは１分程度となるため、測定時間を短縮することができる。このように、少数の電極を用いてより短い測定時間で脳活動を評価することができるため、被験者への負担を軽減することができる。さらにはセンサ数を３つにすることで、三脚の設置と同様に頭皮上への機械的な固定が極めて容易かつ安定に保つことができ、測定時の装着時間を大幅に短縮できるのみならず、安定な接触抵抗を維持でき、取得されるデータの信頼性を高めることができる。このようなデータの信頼性向上や指標値を導入した演算方法により、α波成分が微弱な被験者に対する計算信頼度を高めることができる。
【図面の簡単な説明】
【００２３】
【図１ａ】本発明の実施形態に係る脳活動測定装置の概要図を示す図である。
【図１ｂ】本発明の実施形態に係る脳活動測定装置の取り付け位置を示す図である。
【図１ｃ】本発明の実施形態に係る帽子装着型電極の外観概要図を示す図である。
【図１ｄ】本発明の実施形態に係る基準電位測定用の導電性ゴム電極概要図を示す図である。
【図２】本発明の処理の流れを示すフローチャートである。
【図３ａ】中心部にダイポール電流源を持つ均一球モデル表面の電位を示す図である。
【図３ｂ】中心部にダイポール電流源を持つ均一球モデル表面の電位を示す図である。
【図３ｃ】中心部にダイポール電流源を持つ均一球モデル表面の電位を示す図である。
【図３ｄ】中心部にダイポール電流源を持つ均一球モデル表面の電位を示す図である。
【図３ｅ】中心部にダイポール電流源を持つ均一球モデル表面における各電極Ａ、Ｂ、Ｃの電位の時間発展を示す図である。
【図４】遅延パラメータ空間上のプロットを示す図である。
【図５】実施例１における測定用電極の配置例を示す図である。
【図６】実施例１における脳電位の３重相関評価装置の処理ブロックを示す図である。
【図７】実施例１における３重相関値算出部の３重相関値Ｓｉを算出する処理の流れを示すフローチャートである。
【図８】実施例１における３重相関表示部を示す図である。
【図９】実施例１における、２つの遅延パラメータ（τ１、τ２）が形成する特徴空間上にプロットされた、健常者脳電位波形の３重相関値分布の疑似３次元表示を示す図である。
【図１０】実施例１における、２つの遅延パラメータ（τ１、τ２）が形成する特徴空間上にプロットされた、アルツハイマー病患者脳電位波形の３重相関値分布の疑似３次元表示を示す図である。
【図１１ａ】実施例２における、図９の健常者の３次元表示の図を上から見た図であって、３つの信号が同符号をとる領域を白で表し、３つの信号のいずれか１つの符号が異なる領域を黒で表した図である。
【図１１ｂ】実施例２における、図１０のアルツハイマー病患者の３次元表示の図を上から見た図であって、３つの信号が同符号をとる領域を白で表し、３つの信号のいずれか１つの符号が異なる領域を黒で表した図である。
【図１１ｃ】実施例２における、指標ＳＤを算出するときの白の四角形の領域間の縦横方向の各距離ｄｘｉ（ｉ＝１、２、…、ｍ）、ｄｙｊ（ｊ＝１、２、…、ｎ）を説明する図である。
【図１２】実施例２における評価指標ＳＤを用いて得られた感度特異度曲線を示す図である。
【図１３】図１２の感度特異度曲線から作成されたＲＯＣ曲線を示す図である。
【図１４】実施例３における評価指標Ｓｓを用いて得られた感度特異度曲線を示す図である。
【図１５】実施例２及び３で得られた指標の線形結合によって得られた指標ｄ（ｄ＝０．３７５×Ｓｓ＋ＳＤ）をもとに、アルツハイマー病の判別を行った際の感度特異度曲線を示す図である。
【図１６】実施例２及び３で得られた指標をもとに、診断結果がＮＬ領域かＡＤ領域かを判断するための座標表示を示す。
【図１７】実施例２及び３で得られた指標の線形結合によって得られた指標ｄ（ｄ＝０．３７５×Ｓｓ＋ＳＤ）をもとに、脳血管性認知障害の判別を行った際の感度特異度曲線を示す図である。
【発明を実施するための形態】
【００２４】
［概要］
これより図面を参照して、本発明に係る脳活動測定装置について説明する。装置構成、測定原理について説明した後、各実施例の説明を行う。
【００２５】
［装置構成］
本発明の好ましい装置構成の実施形態を図１ａ、図１ｂに示す。脳活動測定装置１００は、３つの電極を有する頭部装着部１０１と、当該３つの電極１０４と信号ケーブルで接続された３ｃｈ増幅器・帯域フィルタ１０２と、当該３ｃｈ増幅器・帯域フィルタと信号ケーブルで接続された解析用ＰＣ１０３と、を有する。さらに脳活動測定装置１００は、基準電位測定用の基準電極１０５をさらに有する。基準電極１０５は不感電極として使用され、好ましくは耳朶接続用クリップ電極である。基準電極１０５は、３ｃｈ増幅器・帯域フィルタに接続される。頭部装着部１０１は、固定具１１１によって３つの電極１０４が固定される。固定具１１１は、例えばヘルメットから切り出したブーメラン状プラスティック製の固定具である。また頭部装着部１０１は、図１ｂに示すような国際１０-２０法の電極配置にＦｐｚ(Ｆｐ１、Ｆｐ２の中間点として定義)、Ｏｚ(Ｏ１、Ｏ２の中間点として定義)の２電極を追加した電極のうちの３つの電極位置に各電極が配置されるように、被験者へ装着する。この場合、後頭部のＰ３、Ｐ４、Ｏｚの位置に３つの電極が配置されるように被験者へ装着するのが好ましい。頭部装着部１０１は、国際１０-２０法に基づくヘルメット型電極を用いて、選択的に３つの電極を使用することもできる。この場合も、Ｐ３、Ｐ４、Ｏｚの位置の３つの電極を使用するのが好ましい。電極１０４は、好ましくは生理食塩水を含んだ多孔質ファイバー電極であり、電極上部は導線接続用金属円筒で構成されうる。
【００２６】
他の実施例として、頭部装着部１０１は帽子装着型であり、図１ｃにその帽子装着型電極の外観概要図を、図１ｄに基準電極１０５としての導電性ゴム電極の概要図を示す。頭部装着部１０１は、メッシュ状帽子に測定用の電極１０４が３つ取り付けられたものである。電極１０４はプリアンプ１１２と接続されたシールドケーブル１１３と接続され、好ましくは食塩水を含んだ多孔質導電性ゴムが使用される。なおプリアンプ１１２は、３ｃｈ増幅器・帯域フィルタ１０２の増幅器の機能を有するものであり、帯域フィルタ１０２を経由して解析用ＰＣ１０３に接続される。基準電極１０５は、プリアンプ１１２と電気的に接続された導電性ゴム電極１１４であり、これによって耳朶接続用クリップ電極は不要となる。ここで、導電性ゴム状の電位均一化と、プリアンプ１１２からのケーブル接続の際の接触抵抗の低減を図るため、円周状の導電性ゴム電極と帽子の間には金属フィルム１１５を設置する。
【００２７】
あるいは他の実施例として、測定用の３つの電極１０４及び基準電極１０５は無線通信機能を有し、同様に無線通信機能を有する解析用ＰＣ１０３へ、測定用の電極１０４（３つ）と基準電極１０５から得られる脳電位信号の差分を３つの脳電位信号として、無線で送信する。基準電極１０５は、測定用の３つの電極１０４の中央に配置されるのが好適である。また、測定用の３つの電極１０４及び基準電極１０５の電位信号の合計４つを解析用ＰＣ１０３へ送信し、解析用ＰＣ１０３において測定用の電極１０４と基準電極１０５の差分を計算し、３つの脳電位信号の入力としてもよい。
【００２８】
さらなる他の実施例として、電極１０４の代わりに電気、磁気又は血流量などの変化を検出するセンサであることもできる。また頭部装着部１０１は３つの電極を２つ（２セット）以上有することもできる。この場合、脳深部の活動をさらに多面的に評価しうる。
【００２９】
解析用ＰＣ１０３は、各種演算処理や算出を行い、ＣＰＵを含む処理部と、算出結果などを表示する表示部（ディスプレイ、プリンターなど）と、各種データやプログラムを格納する記憶部と、有線・無線通信を行う通信部とを有する。なお脳活動測定装置１００は３ｃｈ増幅器・帯域フィルタ１０２を含まなくてもよい。この場合、解析用ＰＣ１０３が帯域フィルタの機能を有する。このような帯域フィルタの機能や、請求項に記載されたデータ抽出手段、相関値算出手段、指標値算出手段、表示手段などは、好ましくは、解析用ＰＣにおいて処理部のＣＰＵが所定のプログラムを実行することによって実現される。
【００３０】
［測定原理］
前述のとおり本発明では、脳深部に等価ダイポール電源を仮定しており、このダイポール電位活動を解析するための電位分布測定を、頭皮上に配置した３つの異なる場所に配置された電極に限定して行う場合を考える。脳深部に電源がある場合には、これら３つの電極で観測される電位波形には強い位相関係が存在するという事実に基づいて、この位相関係を評価する。このようにして、脳深部に仮定した等価ダイポール電源の時間的な挙動を近似的に推定する。これは、地震波に例えれば、表層に震源を持つ地震波が観測地点ごとに大きく異なるのに比し、深部に震源を持つ地震波では、近い距離をおいて配置された地震計ではほぼ同じ振幅・位相のＰ波が観測されることと同等な現象である。
【００３１】
本発明では、脳深部の活動に基づいて表面に現れる電位波形は近い距離離れた表面においてはほぼ同位相であることから、３つの電位の符号が同一であるデータのみを加算する方式を定義する。すなわち同一符号のデータのみを演算の対象とすることで、相関を有するデータを抽出することができる。ただし、すべてのデータを演算の対象とすることもできる。
【００３２】
本発明は、図２の処理のフローチャートに示すように、３つの電位信号が入力されると（Ｓ２０１）、３つの電位が同符号の信号を選択する（Ｓ２０２）。電位の符号を判定する際の基準電位は、例えば皮質活動を直接反映しない耳朶が用いられうるが、増幅器の帯域フィルタで直流分は遮断されるので、実質的には、各々の電極ごとの時間平均から見た正負の符号を判定することになる。なお当然のことながら、基準電位の取り方はこれらに限定されず、導電性ゴム電極も使用されうる。さらには、無線通信機能を有する測定用の３つの電極から得られる脳電位信号と、当該３つの電極の中央に配置される基準電極から得られる脳電位信号の差分を、３つの脳電位信号として無線で送信する構成とすることもできる。この場合は、前述のとおり、解析用ＰＣが帯域フィルタの機能を有する。
【００３３】
続いて３重相関値を算出する（Ｓ２０３）。３重相関値は、３つの電極からの低周波帯域の電位信号をそれぞれＥＶＡ（ｔ）、ＥＶＢ（ｔ）、ＥＶＣ（ｔ）としたとき、１つの電極の電位信号に対し、τ１、τ２の時間ずれのある信号との積を使用する。以下に示す式１は３重相関値Ｓｔの１つの例示である。Ｔは３重相関値の演算対象時間であり、Δｔは各電位信号のデータサンプリング周期であり、Ｎは規格化するための定数であって、例えば３つの信号の積の計算回数である。
2016013596.tif 000003
2016013596.tif 000004
（式１）
算出された３重相関値を用いて、解析用ＰＣで所定の演算を行うことにより指標を算出し、当該指標により、認知症患者などの識別判定を行う（Ｓ２０４）。
【００３４】
さらに、上述の演算で得られる遅延パラメータ空間上の３重相関プロットが脳深部の等価ダイポール電源の挙動とどのような関係にあるかを、均一媒質からなる球状モデルを用いて説明する。以下では、説明の都合上、球モデル各部の呼称を地球になぞらえ、北極（ＮＰ）南極（ＳＰ）、赤道等と記載する。
【００３５】
脳深部の活動は、等価的に、深部に微小電流源があるように脳の表面上で観測されることから、球の中心部に、南極から北極に向かう方向に微小電流源を仮定する。この電流源が球表面上につくる電位分布は、図３ａに示すように、北半球では＋、南半球では−、赤道上ではゼロ電位となる。また、この電流源は、赤道上１８０度経度の異なる点Ｐ１、Ｐ２と、ＮＰ、ＳＰを含む面内で、周期Ｔ秒で時計方向に回転する。回転角度９０度ごとに各時点での球表面電位分布は、図３ｂ、図３ｃ、図３ｄのように逐次変化する。この電位変化を球の表面上に、面Ｐ１、ＮＰ、Ｐ２、ＳＰに平行な三角形の頂点に、三つの電極Ａ、Ｂ、Ｃを配置する。各電極から測定された電位波形は、式１により相関値が計算され、計算結果が図４の遅延パラメータ空間上にプロットされる。
【００３６】
Ａ、Ｂ、Ｃの各電極の電位の時間発展は図３ｅのグラフのようになり、各電極は位相差１／３Ｔの関係で周期Ｔの正弦波で変化をする。電極Ａを基準にみるとこれらの電極の符号が最も一致するτ1、τ2の値はそれぞれ１／３＋ｋと２／３＋ｋ（ｋは整数）であり、結果として図４における縦横方向に黒丸のプロットで示されるような、周期Ｔでピークを持つ特性が得られる。またこれらのピークからいずれかの電極が半周期ずれるような位置は、１つの電極が必ず他の２つの電極と逆位相になるため電極の符号が一致することはない。そのため白丸のプロットで示されるような位置は値がプロットされない。
【００３７】
このように、本発明によれば、脳深部の等価ダイポール電源の回転を２次元の遅延パラメータ空間上のプロットとして観測することができ、後述の図９のように規則正しい凹凸の分布を観測することができる。
【００３８】
以上では、単一の等価ダイポール電源が球状の脳深部で滑らかに回転した場合について記載しているが、ダイポールが複数ある場合や、回転が滑らかでない場合には、図４上のプロットは、同符号条件を満たす個々のケースが複雑に分布し、後述の図１０のように遅延パラメータ空間上に細かい凹凸となって現れる。
【００３９】
［実施例１］
実施例１では、認知症による脳機能の低下についての定量的な評価をするための３重相関値の算出について説明する。
【００４０】
図５に示すように、３つの電極ＥＡ５０１、ＥＢ５０２、ＥＣ５０３が三角形の各頂点部分に配置され、別途設置される基準電極と、各電極との差として、電位信号ＶＡ（ｔ）、ＶＢ（ｔ）、ＶＣ（ｔ）が計測される。なお前述の通り、Ｐ３、Ｐ４、Ｏｚの位置の３つの電極が使用されるのが好ましい。各電位信号は、脳電位信号の３重相関評価装置によって処理される。図６は３重相関評価装置６００の処理ブロックを示す図であり、例えば３ｃｈ増幅器・帯域フィルタと解析用ＰＣによって実現される。図６に示すように、脳電位増幅器６０１によって増幅された信号はバンドパスフィルタ６０２によって、α波帯を主とする特定の周波数帯、例えば６〜１３Ｈｚの脳電位波形が抽出される。これは、脳深部に仮定したダイポール電位活動を定量的に解析し、脳深部の活動を評価するために行われる。ただし、帯域フィルタはα波を主とする特定の周波数を検出できるものであり、図６における周波数の値に限定されない。
【００４１】
次に、これら３つの信号による３重相関値Ｓの算出方法について示す。抽出された信号は３重相関値算出部６０３によって、図７のフローチャートに示すように処理される。図７は、ｉ秒からｉ＋１秒における３重相関値Ｓｉ（ｉ＝１、２、…、T）を算出する処理のフローチャートを示す。なお、ここで実施される処理は、趣旨を逸脱しない範囲において変更することができる。
【００４２】
前述の通り３つの信号が入力されるとサンプリング周期でデータが抽出され（Ｓ７０１）、それぞれの電極の電位ごとに標準偏差（σA、σB、σC）で割って規格化される（Ｓ７０２）。この規格化処理は１秒ごとに行うのが好ましいが、これに限定されない。
EVA(t)  ＝VA(t)/σA      (式２)
EVB(t)  ＝VB(t)/σB      (式３)
EVC(t)  ＝VC(t)/σC      (式４)
なおバンドパスフィルタによる周波数抽出処理は、規格化処理の前後いずれかに行われる。また規格化処理の前には、ノイズ処理を行うのが好ましい。ノイズ処理は、例えば、１）±１００μＶ以上のセグメントを除く、２）フラットな電位（２５ｍｓｅｃ以上一定の電位だった場合）を除く、３）±１μＶ以内の電位が１秒以上続く場合は除く、という処理から構成される。
【００４３】
ここで、上記、３つの信号は、電極ＥＡに対し、電極ＥＢはτ１、電極ＥＣはτ２の時間のずれがあるものとする。続いて、３つの信号の符号がすべて正（ＥＶＡ（ｔ）＞０、ＥＶＢ（ｔ）＞０、ＥＶＣ（ｔ）＞０）または、すべて負（ＥＶＡ（ｔ）＜０、ＥＶＢ（ｔ）＜０、ＥＶＣ（ｔ）＜０）の信号のみを計算対象とする処理をする（Ｓ７０３）。式５に示すように３重相関値は、時間ずれのある３つの電位信号の積を加算することで求められる（Ｓ７０４）。この処理は、ｔがｔ＝ｉ＋１秒となるまでΔｔ秒ずつずらして行われる（Ｓ７０６、Ｓ７０７）。なお図７ではｔ＝ｉ秒からｉ＋１秒における３重相関値Ｓｉを算出していることからも分かる通り、全データ（Ｔ秒）について一度に計算するのではなく、所定時間ごとに、本実施例においては１秒ごとに３重相関値Ｓｉを求めＴ個の３重相関値の平均値を最終的には３重相関値とし、時間ずれτ１、τ２も１秒の中でΔｔ秒ずつずらして３重相関値を算出する。例えば、電位データサンプリング周波数をｆｓ（Ｈｚ）とすると、ｆｓ＝２００Ｈｚの場合はΔｔ＝１／ｆｓ＝０．００５秒ずつずらして、３つの電位信号の積を算出する。また、１秒ごとに３つの信号が正または負になった時の回数Ｎを求め（Ｓ７０５）、最後に割る（Ｓ７０８）。式５に１秒ごとの、３重相関値Ｓｉの計算式を示す。
2016013596.tif 000005
2016013596.tif 000006
（ｉ＝１、２、…、T、τ１＝Δｔ、２Δｔ、…、１（秒）、τ２＝Δｔ、２Δｔ、…、１（秒））                                    （式５)
【００４４】
このようにして、１秒ごとにＳｉを全データＴ秒まで計算する（Ｓ1、Ｓ2、・・・、ＳT）。Ｔ（秒）は好ましくは１０（秒）である。ただしＳｉは１秒ごとに算出されることに限定されない。τ１及びτ２の取りうる値はサンプリング周期の整数倍に等しい１秒以下の時間であるが、これらの値の大きさの最大値は１秒に限定されない。またサンプリング周期は０．００５秒に限定されない。なお３重相関値は、３つの信号の符号判定を行わずに、式５によって算出することもできる。
【００４５】
この結果は、図８に示すように３重相関表示部６０４によって２つの遅延パラメータ（τ１、τ２）が形成する特徴空間上にプロットすることで、２つの遅延パラメータ（τ１、τ２）が形成する特徴空間上にプロットされた３重相関値分布の疑似３次元表示をすることができる。図９は、健常者脳電位波形の３重相関値分布の疑似３次元表示を示すものであるが、相関を有しないデータの影響を排除するため、予め定められたｔの値、例えばｔ＝ｉ＋１、においてＥＶＡ（ｔ）、ＥＶＢ（ｔ−τ１）及びＥＶＣ（ｔ−τ２）のすべてが同符号であったＳｉ（τ１，τ２）のみをプロットしたものである。プロットするＳｉをこのように限定することにより、ノイズを除去し、より良い精度で３重相関値分布の疑似３次元表示を示すことができる。
【００４６】
図９に示すように、健常者後頭部から観測される脳電位波形については、特徴空間内の３重相関分布は滑らかで、この分布は観測時刻の推移とともに移動する。これに対して、アルツハイマー病患者から観測される脳電位波形を図１０に示す。３重相関値の分布は、細かいピークが複雑に分布する場合が多いが、この場合も観測時刻の推移とともに分布が移動する。両図を比較して、健常者とアルツハイマー病患者の３重相関値分布の大きな違いは、分布の滑らかさにあることがわかる。
【００４７】
［実施例２］
実施例２では、実施例１で算出された３重相関値を用いて、認知症による脳機能の低下について定量的な評価をするための指標を算出する。
【００４８】
実施例１に示したように、２つの遅延時間パラメータ空間内で、健常者のデータでは、樹木状の分布が規則的に並ぶのに対し、アルツハイマー病患者のデータでは、樹木状の分布の不規則性が大である。この差を定量的に表現するために、図１１ａに示すように、樹木の列がτ１、τ２軸に平行となるように、座標軸を回転する。図１１ａは健常者の例であるが、図１０に示すような３次元表示の図を上から見た図で、３つの波形が同符号をとる領域を白で表示し、３信号のどれか１つ符号が異なる領域を黒で表す。このような表示をすると、健常者の場合には規則的な格子縞となるのに対して、アルツハイマー病患者のデータでは、図１１ｂに示すように、格子縞が乱れることが分かった。そこで、この乱れを定量化するために、以下の指標を定義する。
【００４９】
図１１ａ、図１１ｂに示すように白い四角形の領域は、隣接する白い四角形の領域と、縦横方向にそれぞれ間隔を有する。その間隔を図１１ｃに示すように、ｄｘｉ（ｉ＝１，２、…、ｍ）、ｄｙｊ（ｊ＝１，２、…、ｎ）とする。このｄｘｉとｄｙｊがτ１方向とτ２方向において、それぞれ白い四角形の縦横が均等に並んでいるか、あるいは白い四角形が乱れて並んでいるかを判断することで健常者（ＮＬ）とアルツハイマー（ＡＤ）患者を分離することができる。ＡＤにおいては、τ１、τ２のどちらかのばらつきが偏って大きい傾向がある。なお、ＮＬであってもＡＤであっても、縦横の四角形は規則的に並んでいる為、τ１、τ２ともに任意の時間における、隣接する白い四角形間の距離で評価を行うことができる。具体的には式６、式７に示すように、ｍ個のｄｘｉの標準偏差Ｓｔｄ＿ｄｘとｎ個のｄｙｊの標準偏差Ｓｔｄ＿ｄｙを算出し、２つの標準偏差の平均値を指標値ＳＤとする。
2016013596.tif 000007
（式６）
2016013596.tif 000008
（式７）
2016013596.tif 000009
（式８）
【００５０】
上記の指標ＳＤを用いて、健常者（ＮＬ）５２例とアルツハイマー（ＡＤ）患者２０例を分離した場合の判別結果から得られた感度特異度曲線を図１２に示す。図１２のように、本指標は、ＮＬとＡＤの交点において、６８％の識別率を示しており、交点付近の閾値を変化させることで、有効な判別指標となりうることがわかる。この感度特異度曲線から作成されたＲＯＣ曲線を図１３に示す。
【００５１】
ここでＲＯＣ曲線は、アルツハイマー病検出をおこなった時の検出率と誤診率の関係を示すものである。ＲＯＣ曲線は感度特異度曲線から作成されるものであり、感度特異度曲線とともに、正常と異常のカットオフ値をどこにするかを検討する際に使用されるものである。本実施形態においては、感度がアルツハイマー病、特異度が健常者を示し、偽陽性率は「１−特異度」で表される。以下に１つの実施例として、感度特異度曲線とＲＯＣ曲線の作成について簡潔に説明する。
【００５２】
アルツハイマー病患者がＮ人、健常者がＭ人いるとすると、まず（i）アルツハイマー病患者、健常者の指標値をそれぞれ算出（Ｎ＋Ｍ個算出）する。（ii）アルツハイマー病患者の指標値を大きい順にソートし、健常者の指標値を小さい順にソートする。（iii）アルツハイマー病患者の指標値の最大値が０、最小値が１になるように、感度特異度曲線の縦軸の比率（＝ｉ／（Ｎ−１）（ｉ＝０、１、…、Ｎ−１））を決定し、（iv）健常者の指標値の最小値が０、最大値が１になるように、感度特異度曲線の縦軸の比率（＝ｉ／（Ｍ−１）（ｉ＝０、１、…、Ｍ−１））を決定する。このようにして、指標値と比率の値をアルツハイマー病患者と健常者、それぞれプロットして曲線で結ぶと感度特異度曲線が完成し、この曲線の交点がカットオフ値となる。なお指標値と比率は患者数分であるため、間の値はスプライン補間を行って曲線にしてつなぐ。ＲＯＣ曲線は、縦軸を感度（＝アルツハイマー病患者の比率）、横軸を偽陽性率（＝１−特異度（健常者の比率））として作成する。
【００５３】
図１３に示すように、指標ＳＤを用いた場合に約９０％の感度を与える偽陽性率は、約５０％となり、良好なＲＯＣ特性が得られる。
【００５４】
［実施例３］
実施例３では、実施例１で算出された３重相関値を用いて、認知症による脳機能の低下について定量的な評価をするための指標を算出する。
【００５５】
３重相関値の値は、アルツハイマー病患者は健常者に比べ、τ１、τ２に対し、変動が激しい。また、実施例１の式５で算出された１秒ごとの３重相関値の変動も、アルツハイマー病患者の方が健常者よりも変動が激しい。そこで、式５の標準偏差をｓｔｄ＿Ｓｉとし、ｉ＝１、２、…、１０までの１０個の標準偏差を算出した。さらに、この１０個の標準偏差の標準偏差ｓｔｄ＿Ｓと１０個の標準偏差の平均値ａｖｅ＿Ｓを算出し、標準偏差と平均値の比を指標Ｓｓとした。
2016013596.tif 000010
（式９）
2016013596.tif 000011
（式１０）
2016013596.tif 000012
（式１１）
2016013596.tif 000013
（式１２）
【００５６】
上記の指標Ｓｓを用いて、健常者５２例とアルツハイマー病患者２０例を分離した場合の判別結果から得られた感度特異度曲線を図１４に示す。図１４のように、本指標は、ＮＬとＡＤの交点において６５％の識別率を示しており、交点付近の閾値を変化させることで、有効な判別指標となりうることがわかる。
【００５７】
［実施例４］
実施例４では、実施例２や実施例３で算出された指標値を組み合わせることにより、より優れた判別を行うための指標を算出する。
【００５８】
図１５は、２つの指標の線形結合によって得られた指標ｄ（ｄ＝０．３７５×Ｓｓ＋ＳＤ）をもとに、判別を行った際の感度特異度曲線の例である。図１５は、ＮＬとＡＤの交点において７０％の識別を示している。このように複数の指標値Ｓｓ、ＳＤを用いることでより優れた判別性能を得ることができる。さらに短時間での測定に対応することができるという点で有用である。なお線形結合に使用する指標や係数は一例であり、これらに限定されない。
【００５９】
さらに以下のとおり規格化処理を行うことで、診断結果がＡＤ領域かＮＬ領域に属すかを判断するための表示を行うことができる。上記の指標ｄをもとに、標準データ（ＡＤ２０名、ＮＬ５２名）により算出されたＳｓ値とＳＤの平均値（Ｓｓ＿ａｖｅ，ＳＤ＿ａｖｅ）及び標準偏差（Ｓｓ＿ｓｔｄ，ＳＤ＿ｓｔｄ）により、Ｓｓ値とＳＤ値の平均が（２，２）になるように、規格化処理を行う。具体的な計算式は以下のとおりである。
2016013596.tif 000014
（式１３）
2016013596.tif 000015
（式１４）
【００６０】
例えば前述した指標ｄは、上記の式のＳｓ＿ｖａｌｕｅとＳＤ＿ｖａｌｕｅを用いて、以下の式で表すことができる。
2016013596.tif 000016
（式１５）
【００６１】
このような規格化処理を行い、算出したＳｓ＿ｖａｌｕｅとＳＤ＿ｖａｌｕｅを図１６にプロットすることで、診断結果がＡＤ領域かＮＬ領域に属すかを判断することができる。
【００６２】
さらなる実施例として、図１７は、指標ｄをもとに、脳血管性認知障害の判別を行った際の感度特異度曲線を示す図である。クロスポイントで８０％前後の判別率を示していることから、脳血管性認知障害（ＶＣＩ）の判別にも本発明は有効であることが理解される。
【００６３】
以上に説明した処理又は動作において、あるステップにおいて、そのステップではまだ利用することができないはずのデータを利用しているなどの処理又は動作上の矛盾が生じない限りにおいて、処理又は動作を自由に変更することができる。また以上に説明してきた各実施例は、本発明を説明するための例示であり、本発明はこれらの実施例に限定されるものではない。本発明は、その要旨を逸脱しない限り、種々の形態で実施することができる。
【符号の説明】
【００６４】
１００  脳活動測定装置
１０１  頭部装着部
１０２  ３ｃｈ増幅器・帯域フィルタ
１０３  解析用ＰＣ
１０４  電極
１０５  基準電極
１１１  固定部
１１２  プリアンプ
１１３  シールドケーブル
１１４  導電性ゴム電極
１１５  金属フィルム
５０１  電極ＥＡ
５０２  電極ＥＢ
５０３  電極ＥＣ
６００  ３重相関評価装置
６０１  ３ｃｈ脳電位増幅器
６０２  ３ｃｈバンドパスフィルタ
６０３  ３重相関値算出部
６０４  ３重相関表示部
６０５  指標値算出部
【図１ａ】
2016013596.tif 000017
【図１ｂ】
2016013596.tif 000018
【図１ｃ】
2016013596.tif 000019
【図１ｄ】
2016013596.tif 000020
【図２】
2016013596.tif 000021
【図３ａ】
2016013596.tif 000022
【図３ｂ】
2016013596.tif 000023
【図３ｃ】
2016013596.tif 000024
【図３ｄ】
2016013596.tif 000025
【図３ｅ】
2016013596.tif 000026
【図４】
2016013596.tif 000027
【図５】
2016013596.tif 000028
【図６】
2016013596.tif 000029
【図７】
2016013596.tif 000030
【図８】
2016013596.tif 000031
【図１１ａ】
2016013596.tif 000032
【図１１ｂ】
2016013596.tif 000033
【図１２】
2016013596.tif 000034
【図１３】
2016013596.tif 000035
【図１４】
2016013596.tif 000036
【図１５】
2016013596.tif 000037
【図１７】
2016013596.tif 000038
【図９】
2016013596.tif 000039
【図１０】
2016013596.tif 000040
【図１１ｃ】
2016013596.tif 000041
【図１６】
2016013596.tif 000042
【国際調査報告】
2016013596.tif 000043
2016013596.tif 000044
2016013596.tif 000045
2016013596.tif 000046